(57)【要約】【課題】部品点数の増加を抑制して水栓本体からの吐水と水栓本体に取付けた吐水管からの吐水とを使い分けることができる水栓を提供する。【解決手段】水栓１の水栓本体２に配設されたカラン吐出口２１と、カラン吐出口２１に一端部が着脱可能とされ他端部に吐出管吐出口３１ｂが設けられたカラン吐出管６と、カラン吐出口２１又は吐出管吐出口３１ｂに対して選択的に取付け可能とされるとともに整流及び／又は異物除去の機能を有するキャップ４０と、を有する。カラン吐出管６はカラン吐出口２１に対して取付けられたとき吐出管吐出口３１ｂからの吐水が可能となり、キャップ４０はカラン吐出口２１又は吐出管吐出口３１ｂに取付けられたときキャップ４０のキャップ吐水口４３からの吐水が可能となる。【選択図】図２
2020180431.tif 000002
【特許請求の範囲】
【請求項１】
水栓の本体部に配設された水栓吐出口と、該水栓吐出口に一端部が着脱可能とされ他端部に吐出管吐出口が設けられた吐出管と、前記水栓吐出口又は前記吐出管吐出口に対して選択的に取付け可能とされるとともに整流及び／又は異物除去の機能を有するキャップと、を有し、
前記吐出管は前記水栓吐出口に対して取付けられたとき前記吐出管吐出口からの吐水が可能となり、
前記キャップは前記水栓吐出口又は前記吐出管吐出口に取付けられたとき前記キャップからの吐水が可能となる水栓。
【請求項２】
請求項１において、前記水栓吐出口は第１ねじが設けられた円筒状に形成されており、
前記吐出管吐出口は第２ねじが設けられた円筒状に形成されており、
前記キャップには前記第１ねじと前記第２ねじのいずれに対しても螺合可能な第３ねじが形成されている水栓。
【請求項３】
請求項２において、前記キャップは整流のための整流板及び／又は異物除去のためのメッシュが一体的に形成されている水栓。
【発明の詳細な説明】
【技術分野】
【０００１】
本発明は、水栓に関する。詳しくは、水栓本体からの吐水と水栓本体に取付けた吐水管からの吐水とを使い分けることができる水栓に関する。
【背景技術】
【０００２】
従来、水栓本体に配設された水栓吐出口に吐水管を連結してこの吐水管の吐水管吐水口から水又は湯を吐出させることができる水栓が知られている（特許文献１）。また、吐水管の先端部に吐水管キャップを配設し、吐水管キャップの吐出口に整流や異物除去の目的で整流部材やメッシュを内蔵した吐出口キャップを取付けた水栓も知られている（特許文献２）。
【先行技術文献】
【特許文献】
【０００３】
【特許文献１】特開２００４−３３２３１０号公報
【特許文献２】特開２００２−２４２２４７号公報
【発明の概要】
【発明が解決しようとする課題】
【０００４】
上記特許文献１に記載された技術において、水栓本体の水栓吐出口から水又は湯を吐出させることと、水栓吐出口に取付けられた吐水管の吐水管吐出口から水又は湯を吐出させることと、を選択的に行いたい場合がある。かかる場合に、単に水栓吐出口から先端部に吐水管キャップと吐水管吐出口キャップが取付けられた状態の吐水管を取り外して水又は湯を水栓吐出口から吐出させるのでは整流や異物除去が施されていない水又は湯が吐出されてしまう。そこで、水栓吐出口から吐水管を取り外したときに水栓吐出口に整流部材やメッシュを内蔵した水栓吐出口キャップを別途準備して取付けなければならず部品点数が増加してコスト増につながるという問題があった。
【０００５】
このような問題に鑑み本発明の課題は、部品点数の増加を抑制して水栓本体からの吐水と水栓本体に取付けた吐水管からの吐水とを使い分けることができる水栓を提供することにある。
【課題を解決するための手段】
【０００６】
本発明の第１発明は、水栓の本体部に配設された水栓吐出口と、該水栓吐出口に一端部が着脱可能とされ他端部に吐出管吐出口が設けられた吐出管と、前記水栓吐出口又は前記吐出管吐出口に対して選択的に取付け可能とされるとともに整流及び／又は異物除去の機能を有するキャップと、を有し、前記吐出管は前記水栓吐出口に対して取付けられたとき前記吐出管吐出口からの吐水が可能となり、前記キャップは前記水栓吐出口又は前記吐出管吐出口に取付けられたとき前記キャップからの吐水が可能となることを特徴とする。
【０００７】
第１発明によれば、キャップは水栓吐出口と吐出管吐出口に対して選択的に取付け可能であるので、部品点数の増加を招くことなく水栓吐出口からの吐水と吐出管吐出口からの吐水を使い分けることができる水栓を提供することができる。
【０００８】
本発明の第２発明は、上記第１発明において、前記水栓吐出口は第１ねじが設けられた円筒状に形成されており、前記吐出管吐出口は第２ねじが設けられた円筒状に形成されており、前記キャップには前記第１ねじと前記第２ねじのいずれに対しても螺合可能な第３ねじが形成されていることを特徴とする。
【０００９】
第２発明によれば、水栓吐出口又は吐出管吐出口に対するキャップの選択的な取付けを簡潔な構造で達成することができる。
【００１０】
本発明の第３発明は、上記第１発明又は上記第２発明において、前記キャップは整流のための整流板及び／又は異物除去のためのメッシュが一体的に形成されていることを特徴とする。
【００１１】
第３発明によれば、水栓吐出口又は吐出管吐出口に対してキャップを取付けるだけで整流及び／又は異物除去の機能が達成できるので、水栓本体からの吐水と水栓本体に取付けた吐水管からの吐水とを使い分ける際の作業性が良い。
【図面の簡単な説明】
【００１２】
【図１】本発明の一実施形態である水栓の斜視図である。吐出管を取付けた状態である。
【図２】図１のＩＩ−ＩＩ矢視線断面図である。
【図３】上記実施形態における水栓の斜視図である。吐出管を取り外した状態である。
【図４】図３のＩＶ−ＩＶ矢視線断面図である。
【図５】上記実施形態におけるキャップの斜視図である。
【発明を実施するための形態】
【００１３】
本発明の一実施形態に係る水栓１の構成について、図１〜図５を用いて説明する。以下の説明において、方向に関する説明は各図に示された上下前後左右の方向に基づいて行うものとする。
【００１４】
図１に示すように、本実施形態に係る水栓１は、浴室の壁面Ｗに取付けられる壁付けタイプの湯水混合水栓である。水栓１は、左右方向に延びる略円筒形状の水栓本体２と、いずれも水栓本体２に取付けられた、湯側継手管３と、水側継手管４と、シャワー吐出管５と、カラン吐出管６と、カバー７と、を有する。ここで、水栓本体２とカラン吐出管６が、それぞれ、特許請求の範囲の「本体部」と「吐出管」に相当する。
【００１５】
図１〜図４に示すように、水栓本体２には、その左右方向中央部の下面にカラン吐出管６を連結するカラン吐出口２１が下方に向けて開口して設けられている。また、水栓本体２には、その左右方向中央部の後面にシャワー吐出管５を連結するシャワー吐出口２２が後方に向けて開口して設けられている。さらに水栓本体２には、その後面の左側に図示しない給湯源から湯の供給を受けるクランク状に折れ曲がった湯側継手管３が連結され、その後面の右側に図示しない給水源から水の供給を受けるクランク状に折れ曲がった水側継手管４が連結されている。水栓本体２の左側の側部には、略円筒形状の温調ハンドル２３が左右方向に延びる軸回りに回動可能に設けられている。温調ハンドル２３を回動させることによって湯側継手管３から供給される湯と水側継手管４から供給される水との混合割合が変更され、カラン吐出口２１又はシャワー吐出口２２から吐出される湯水の温度が調節されるようになっている。水栓本体２の右側の側部には、略円筒形状の切替ハンドル２４が左右方向に延びる軸回りに回動可能に設けられている。切替ハンドル２４のレバー２４ａを所定の止水位置から上向きに回動させることによりその回動量に応じた単位時間当たりの量の湯水をシャワー吐出口２２から吐出させられるようになっている。また、切替ハンドル２４のレバー２４ａを所定の止水位置から下向きに回動させることによりその回動量に応じた単位時間当たりの量の湯水をカラン吐出口２１から吐出させられるようになっている。ここで、カラン吐出口２１が、特許請求の範囲の「水栓吐出口」に相当する。
【００１６】
図１〜図４に示すように、カラン吐出口２１は、円筒形状をしておりその内径部分２１ａはその直径がカラン吐出管６の横断面の直径よりわずかに大きく形成されている。外径部分２１ｂはその直径がカラン吐出管６の横断面の直径の１．５倍程度に形成され、その下端部側には、雄ねじ２１ｂ１が形成されている。カラン吐出口２１には、後述するカラン吐出管６が左右方向に回動自在に連通接続される。シャワー吐出口２２は、円筒形状をしておりエルボ形状のシャワー吐出管５が連通接続されている。シャワー吐出管５のシャワー吐出口２２と反対側の端部には図示しないシャワーホースが取付けられ、シャワーヘッドまでの給水を可能としている。水栓本体２には、その前面及び上面を覆ってカバー７が取付けられている。カバー７は、水栓本体２の見栄えを良くするとともに上面部を小物置きとして利用できるものである。ここで、雄ねじ２１ｂ１が、特許請求の範囲の「第１ねじ」に相当する。
【００１７】
図１及び図２に示すように、カラン吐出管６は、金属製の吐出管本体３０と、吐出管本体３０の先端部側に取付けられる樹脂製のキャップ部材３１と、を有する。吐出管本体３０は、カラン吐出管６がカラン吐出口２１に取付けられたとき、水平方向に延びる部分である水平部３０ａと、水平部３０ａの一端部側から屈曲しながら上方に向かって延びるエルボ部３０ｂと、を有する。図２によく示されるように、エルボ部３０ｂの上端部側には図示しない鍔部が設けられている。ナット３０ｃをカラン吐出口２１の雄ねじ２１ｂ１に対して螺合させることによりナット３０ｃによって鍔部をカラン吐出口２１に対して押圧しエルボ部３０ｂが左右方向に回動自在に連通接続される。すなわち、ナット３０ｃにはカラン吐出口２１の雄ねじ２１ｂ１に対して螺合可能な雌ねじが形成されている。ここで、エルボ部３０ｂの上端部と吐出管本体３０の先端部が、それぞれ、特許請求の範囲の「一端部」と「他端部」に相当する。
【００１８】
図１及び図２に示すように、キャップ部材３１は、エルボ状の部材で前後方向に延びる吐出管取付部３１ａと、上下方向に延びる吐出管吐出口３１ｂと、を有する。吐出管取付部３１ａの内筒部３１ａ１にはカラン吐出管６の先端部が挿入されて、カラン吐出管６に対しキャップ部材３１が取付けられている。吐出管吐出口３１ｂは、円筒形状をしておりその内径部分３１ｂ１はその直径がカラン吐出管６の横断面の直径とほぼ同じ大きさに形成されている。外径部分３１ｂ２はその直径がカラン吐出管６の横断面の直径の１．５倍程度に形成され、その下端部側には、雄ねじ３１ｂ２１が形成されている。雄ねじ３１ｂ２１は、カラン吐出口２１の雄ねじ２１ｂ１と同一のねじ山形状で同一のピッチとされている。吐出管吐出口３１ｂの内筒部３１ａ１の内側には、上下方向に延びる円柱状の位置決めピン３１ｃが配設されている。位置決めピン３１ｃは、キャップ部材３１の内筒部３１ａ１にカラン吐出管６が挿入されたとき、カラン吐出管６の先端部が当接してそれ以上の挿入を阻止しカラン吐出管６に対するキャップ部材３１の位置決めをする機能を果たす。ここで、雄ねじ３１ｂ２１が、特許請求の範囲の「第２ねじ」に相当する。
【００１９】
図２、図４及び図５に示すように、キャップ４０は、大径部４１と小径部４２とを同一軸上に上下に並べて配置した略円筒状の樹脂製部材である。大径部４１の内筒部には、カラン吐出口２１の雄ねじ２１ｂ１及びキャップ部材３１の雄ねじ３１ｂ２１に対して螺合可能な雌ねじ４１ａが形成されている。小径部４２の内筒部には径方向に延びるとともに軸方向に延びる複数の径方向壁面４２ａと、軸を中心とした周方向に延びるとともに軸方向に延びる複数の周方向壁面４２ｂと、によって囲まれて形成される上面視で扇形状をした複数の扇状開口４２ｃが形成されている。複数の扇状開口４２ｃがキャップ４０から吐水するキャップ吐水口４３を構成し、吐水の整流機能を果たす。径方向壁面４２ａと周方向壁面４２ｂの上端部側には、メッシュ４４が配置されて吐水に含まれる異物除去の機能を果たす。キャップ４０は、メッシュ４４とパッキン４５を介して吐出管吐出口３１ｂに対して連通接続されたとき、キャップ吐水口４３から湯水を吐出可能となる（図２参照）。また、キャップ４０は、メッシュ４４とパッキン４５を介してカラン吐出口２１に対して連通接続されたとき、キャップ吐水口４３から湯水を吐出可能となる（図４参照）。ここで、径方向壁面４２ａと周方向壁面４２ｂが、それぞれ特許請求の範囲の「整流板」に相当する。また、雌ねじ４１ａが、特許請求の範囲の「第３ねじ」に相当する。
【００２０】
以上のように構成される本実施形態は、以下のような作用効果を奏する。キャップ４０はカラン吐出口２１と吐出管吐出口３１ｂに対して選択的に取付け可能であるので、部品点数の増加を招くことなくカラン吐出口２１からの吐水と吐出管吐出口３１ｂからの吐水を使い分けることができる水栓１を提供することができる。換言すると、水栓１は、部品点数の増加を抑制して水栓本体２からの吐水と水栓本体２に取付けたカラン吐出管６からの吐水とを使い分けることができる。
【００２１】
また、キャップ４０にはカラン吐出口２１の雄ねじ２１ｂ１及びキャップ部材３１の雄ねじ３１ｂ２１に対して螺合可能な雌ねじ４１ａが形成されているので、カラン吐出口２１又は吐出管吐出口３１ｂに対する選択的な取付けを簡潔な構造で達成することができる。さらに、カラン吐出口２１又は吐出管吐出口３１ｂに対してキャップ４０を取付けるだけで整流及び／又は異物除去の機能が達成できるので、水栓本体２からの吐水と水栓本体２に取付けたカラン吐出管６からの吐水とを使い分ける際の作業性が良い。
【００２２】
以上、特定の実施形態について説明したが、本発明は、それらの外観、構成に限定されず、本発明の要旨を変更しない範囲で種々の変更、追加、削除が可能である。例えば、次のようなものが挙げられる。
【００２３】
１．上記実施形態においては、水栓１を湯水混合水栓として構成したが、これに限らず水のみ又は湯のみを吐出する水栓であってもよい。
【００２４】
２．上記実施形態においては、カラン吐出管６の先端部側に取付けられる樹脂製のキャップ部材３１に吐出管吐出口３１ｂを設けたが、これに限らずカラン吐出管６の先端部側を下方に向けて折り曲げて吐出管吐出口を設けてもよい。
【００２５】
３．上記実施形態においては、特許請求の範囲の「第１ねじ」と「第２ねじ」を雄ねじとして形成し、特許請求の範囲の「第３ねじ」を雌ねじとして形成した。しかし、これに限らず「第１ねじ」と「第２ねじ」を雌ねじとして形成し、特許請求の範囲の「第３ねじ」を雄ねじとして形成することもできる。
【符号の説明】
【００２６】
１     水栓
２     水栓本体（本体部）
６     カラン吐出管（吐出管）
２１   カラン吐出口（水栓吐出口）
２１ａ 内径部分
２１ｂ 外径部分
２１ｂ１      雄ねじ（第１ねじ）
３０   吐出管本体
３０ａ 水平部
３０ｂ エルボ部
３０ｃ ナット
３１   キャップ部材
３１ｂ 吐出管吐出口
３１ｂ１      内径部分
３１ｂ２      外径部分
３１ｂ２１    雄ねじ（第２ねじ）
４０   キャップ
４１   大径部
４１ａ 雌ねじ（第３ねじ）
４２   小径部
４２ａ 径方向壁面（整流板）
４２ｂ 周方向壁面（整流板）
４２ｃ 扇状開口
４３   キャップ吐水口
４４   メッシュ
【図１】
2020180431.tif 000003
【図２】
2020180431.tif 000004
【図３】
2020180431.tif 000005
【図４】
2020180431.tif 000006
【図５】
2020180431.tif 000007